(57)【要約】【課題】  震動エネルギーが引き起こす移動や変形を緩和する効果を有する緩衝固定器を提供する。【解決手段】  主に減衰器と二個の固定プレートによって構成され、減衰器の外筒内にピストンロッドを設け、底部に下部密閉座体を設け、固定プレートには凸翼部があり、減衰器のピストンロッドの最上端および下部密閉座体の末端は、凸翼部に対応させ、ボルトでその中に設置し、さらに二個の固定プレートを被固定物の垂直部分に固定させた緩衝固定器である。【選択図】図1
0003139053.tif 000002
【実用新案登録請求の範囲】
【請求項１】
減衰器と二個の固定プレートからなり、該減衰器は外筒、内筒、下部密閉座体、上部密閉モジュール、ピストンロッドから構成され、該外筒は中空円柱状の筒体で、該内筒は中空円柱状の筒体でかつ直径は外筒より小さく設定され、
前記下部密閉座体が外筒および内筒の底部を密閉し、外筒と内筒の間が第一内部空間及び第二内部空間に分割され、さらに該下密閉座体の上部に経路を設け、該経路は第一内部空間と第二内部空間の間を貫通させ、該下密閉座体上に薄型の第一バルブと第二バルブを設け、該第二バルブ上にポートを設け、該第一バルブと該第二バルブは弾性部品により圧制を受け、通常状態では下密閉座体の上端の経路と接触し、
前記上部密閉モジュールは凸型カバーとオイルシールを含み、該上部密閉モジュールは外筒および内筒の最上部を密閉し、かつ上蓋で前記外筒最上部を密閉し、外筒と内筒の間を第一内部空間及び第二内部空間に分割し、カバーとオイルシールとで構成された上部密閉モジュールの中央位置に軸孔を有し、
前記ピストンロッドは、円柱形棒体でその一端にはピストンヘッドを接続し、もう一方の端には接続部を設け、該ピストンロッドは前記上部密閉モジュールの軸孔に貫通させて設置し、ピストンヘッドを第一空洞内に設置し、ピストンヘッド端面に貫通したオリフィスを設け、周縁をゴムリングで囲んでピストンヘッドが第一内部空間に進入する際に該ゴムリングが内筒の内壁と緊密に接触し、第一内部空間内の気体あるいはオイルはオリフィスのみを通りピストンヘッドを通過し、
前記二個の固定プレートは同形状あるいは対称的な座体で、その上にコ型凸翼部を設け、コ型形凸翼部上に孔を設け、減衰器の接続部と下部密閉座体を二個の孔に対応させ、ボルトで減衰器をその中に設置し、これにより二個の固定プレートを被固定物の垂直部分に固定することを特徴とする緩衝固定器。
【考案の詳細な説明】
【技術分野】
【０００１】
本考案は、緩衝固定器に関するもので、特に建物、家具、ラック等の物品に設置し、これらの物品が震動を受けた際、震動を吸収してゆるぎない安全性を具えた緩衝固定器に関するものである。
【背景技術】
【０００２】
天然災害は、常に人々の生命や財産に危害を加え、特に地震が引き起こす脅威は、人々に底知れない恐怖を与えてきた。地震発生時には、地層の変動により地表移動を引き起こし、この移動エネルギーはすぐに地上の物品に震動を引き起こす。特に建築物及び家具、戸棚、ラック等の物品への影響は大きく、建築物が強度不足であったり物品の固定が不十分であった場合、震動が引き起こす運動エネルギーに抵抗できず、建築物の構造はすぐに破壊され、物品は傾き崩れ落ちる。
よって、いかにして地震が建築物および物品に引き起こす破壊を抑制または回避するかは、依然として各界が全力を挙げて研究する重要な目標である。建築物及び物品を固定し、地震が引き起こす破壊を回避するため、使用者は簡易なＬ字型金具のようなものを利用し、建物（特に木造建築を指す）の梁柱あるいは物品と壁の垂直部分に固定し、Ｌ字型金具の固定力を利用して、震動による破壊を回避しようとしてきた。
【特許文献１】特開平９−１３１２３６号公報
【考案の開示】
【考案が解決しようとする課題】
【０００３】
しかし、従来のように、Ｌ字型金具ないし被固定物をボルトで締め上げる方法で固定すると、比較的大きな震度が発生し、被固定物が弾性範囲を超えた場合、その固定部はすぐに破壊性を持つ亀裂状態を引き起こし、Ｌ字型金具による固定方法では緩衝特性を全く具えず、被固定物に対し二次破壊を引き起こす可能性があり、改善する必要があった。
本考案の目的は、前記の不都合に鑑みてなされたもので、建物、家具、戸棚、ラック等の物品に設置し、これらの被固定物が震動を受けた際、被固定物が受ける震動エネルギーが引き起こす移動や変形を緩和して、ゆるぎない安全性を具えた緩衝固定器を提供することである。
【課題を解決するための手段】
【０００４】
前記課題を解決するために、本考案は、減衰器と二個の固定プレートからなり、該減衰器は外筒、内筒、下部密閉座体、上部密閉モジュール、ピストンロッドから構成され、該外筒は中空円柱状の筒体で、該内筒は中空円柱状の筒体でかつ直径は外筒より小さく設定され、前記下部密閉座体が外筒および内筒の底部を密閉し、外筒と内筒の間が第一内部空間及び第二内部空間に分割され、さらに該下密閉座体の上部に経路を設け、該経路は第一内部空間と第二内部空間の間を貫通させ、該下密閉座体上に薄型の第一バルブと第二バルブを設け、該第二バルブ上にポートを設け、該第一バルブと該第二バルブは弾性部品により圧制を受け、通常状態では下密閉座体の上端の経路と接触し、前記上部密閉モジュールは凸型カバーとオイルシールを含み、該上部密閉モジュールは外筒および内筒の最上部を密閉し、かつ上蓋で前記外筒最上部を密閉し、外筒と内筒の間を第一内部空間及び第二内部空間に分割し、カバーとオイルシールとで構成された上部密閉モジュールの中央位置に軸孔を有し、前記ピストンロッドは、円柱形棒体でその一端にはピストンヘッドを接続し、もう一方の端には接続部を設け、該ピストンロッドは前記上部密閉モジュールの軸孔に貫通させて設置し、ピストンヘッドを第一空洞内に設置し、ピストンヘッド端面に貫通したオリフィスを設け、周縁をゴムリングで囲んでピストンヘッドが第一内部空間に進入する際に該ゴムリングが内筒の内壁と緊密に接触し、第一内部空間内の気体あるいはオイルはオリフィスのみを通りピストンヘッドを通過し、前記二個の固定プレートは同形状あるいは対称的な座体で、その上にコ型凸翼部を設け、コ型形凸翼部上に孔を設け、減衰器の接続部と下部密閉座体を二個の孔に対応させ、ボルトで減衰器をその中に設置し、これにより二個の固定プレートを被固定物の垂直部分に固定することを特徴とする緩衝固定器である。
【考案の効果】
【０００５】
本考案の緩衝固定器によれば、主に減衰器と二個の固定プレートで構成され、減衰器は外筒とピストンロッドを含み、外筒の末端とピストンロッドの最上端は接続部で、固定プレート上に凸翼部を設け、減衰器の接続部を凸翼部に対応させ、ボルトによりその中に設置し、さらに二個の固定プレートを被固定物の垂直部分に固定することで、建物、家具、戸棚、ラック等の被固定物が震動を受けた際、地震エネルギーが引き起こす被固定物の移動や変形に対して緩和効果が得られ、ゆるぎない安全性を具えることができる。
【考案を実施するための最良の形態】
【０００６】
本考案の目的を達成するため、本考案が採用した技術的手段及びその構造について、以下に説明図及び実施例を用いてその特徴を詳細に説明する。
図１に示すように、本考案は、主に減衰器 10 と二個の固定プレート 20 で構成され、そのうち減衰器 10（図2、図3を参照）は、外筒 11 、内筒 12 、下部密閉座体 13 、上部密閉モジュール 14 、ピストンロッド 15 等の構成部品を含み、外筒 11 は中空円柱状の筒体である。内筒 12 は中空円柱状の筒体で、かつ直径は外筒 11 のものより小さく設定されている。
前記下部密閉座体 13 は外筒 11 と内筒 12 を密閉した底部で、外筒 11 と内筒 12 の間を、第一内部空間 16 及び第二内部空間 17 に分割し、また下部密閉座体 13 の上部に経路 131 を設け、経路 131 を第一内部空間 16 と第二内部空間 17 の間に貫通させる。この下部密閉座体 13 上に薄型の第一バルブ 132 と第二バルブ 133 を設け、第二バルブ 133 上にポート 134(図4、図5を参照)を設け、第一バルブ 132 と第二バルブ 133 は弾性部品 135 の圧制を受け、通常状態では下部密閉座体 13 上部の経路 131 と接触している。
前記上部密閉モジュール 14 は凸型のカバー 141 とオイルシール 142 を含み、上部密閉モジュール 14 は外筒 11 と内筒 12 を密閉した最上部で、かつ上蓋 143 で外筒 11 の最上部を密閉し、外筒 11 と内筒 12 の間を第一内部空間 16 及び第二内部空間 17 に分割し、さらにカバー 141 とオイルシール 142 で構成する上部密閉モジュール 14 の中央位置に軸孔 144 を有す。ピストンロッド 15 は円柱形棒体で、その一端にピストンヘッド 151 を接続し、もう一方の端に接続部 152 を設け、ピストンロッド 15 は上部密閉モジュール 14 の軸孔 144 に貫通させて設置し、ピストンヘッド 151 は第一内部空間 16 内に設置する。またピストンヘッド 151 端面に貫通したオリフィス 153 を設け、周縁をゴムリング 154 で囲み、こうしてピストンヘッド 151 が第一内部空間 16 に進入した際、ゴムリング 154 は内筒 12 の内壁と緊密に接触し、第一内部空間 16 内の気体あるいはオイルはオリフィス 153 のみを通りピストンヘッド 151 を通過する。
【０００７】
前記二個の固定プレート 20 （図１参照）だが、固定プレート 20 は同形状もしくは対称的な座体で、その上にコ型凸翼部 21 を設け、コ型凸翼部 21 上に孔 22 を設け、減衰器 10 の接続部 152 と下部密閉座体 13 を二個の孔 22 に対応させ、ボルトにより減衰器 10 を固定プレート 20 内に設置する。
【０００８】
上述の構造（図4、図5を参照）により、減衰器 10 の下部密閉座体 13 及び上部密閉モジュール 14 は、外筒 11 と内筒 12 の底部及び最上部を区別して密閉するので、外筒 11 と内筒 12 の間を第一内部空間 16 及び第二内部空間 17 に分割し、ピストンロッド 15 のピストンヘッド 151 を第一内部空間 16 内にすぐに設置できる。このためピストンロッド 15 が上昇する際、ピストンヘッド 151 上方の気体もしくはオイルはオリフィス 153 のみを通りピストンヘッド 151 を通過し、第一内部空間 16 の反対側まで押し出され、ピストンヘッド 151 の上昇に伴い発生した張力により第一バルブ 132 と第二バルブ 133 が上方に推移することで、第二内部空間 17 内のオイルは、経路 131 を通って第一内部空間 16 内に順調に進入する。ピストンロッド 15 が下降する際、ピストンヘッド 151 下方の気体あるいはオイルは、圧力を受けてオリフィス 153 を通り第一内部空間 16 の反対側まで押し出され、そして第一内部空間 16 の反対側の圧力が飽和状態になると、オイルは再び第一バルブ 132 の縁から第二バルブ 133 のポート 134 を経て経路 131 に進入し、オイルは第二内部空間 17 内にゆっくりと注入され、ピストンロッド 15 が下降する際に緩衝、減衰の効果が得られる。特に、減衰器 10 を二個の固定プレート 20 に設置した後は、固定プレート 20 を、建築物の梁柱の垂直部分（図6参照）や大型戸棚と壁の垂直部分（図7参照）等のように、被固定物の垂直部分に分けて固定でき、減衰器 10 は被固定物の支持力を増加させ、強度において極めて優れた補強作用を有す。地震力を受けて減衰器 10 にエネルギーが入力される際、減衰器 10 内に充填した媒質（オイル、気体あるいはその混合体）により外力への緩衝作用が働き、これにより地震エネルギーの到達を遅滞させ、地震力が被固定物に対して引き起こす破壊を回避または緩和できる。
【０００９】
この他、破壊された建築物の梁柱は通常、構造の強度が大幅に低下し、構材間の相互支持力に支障を来たすおそれがあり、さらに免震建築物の分野において、地震力により梁柱の接点が受ける破壊は、全体構造において最も重要であるため、本考案における最良の設置位置は、建物の梁柱の垂直部分である。また、本考案の構造は設置上の制限が少なく、組み立てが簡単なので、需要に沿って建物のその他の位置、あるいは比較的大型の家具、戸棚、ラック等の物品の垂直部分へ取付けることが可能である。
【００１０】
上記及び説明図に示す実施例の通り、本考案の実施例は、減衰器 10 と二個の固定プレート 20 から成る構造で、被固定物に取り付けた際、制御して固定する効果を有し、減衰器 10 により地震エネルギーが引き起こす移動変形を緩衝することが可能で、震力による被固定物の構造への破壊を緩和できる。
なお、本考案の特徴を損なうものでなければ、上記実施例の構成に限定されるものではないことは勿論である。
【図面の簡単な説明】
【００１１】
【図１】本考案の実施例の立体構造図である。
【図２】本考案の実施例の平面分解構造図である（ピストンロッド上昇時）。
【図３】本考案の実施例の平面分解構造図である（ピストンロッド下降時）。
【図４】本考案の実施例のピストン動作の指示図である（１）。
【図５】本考案の実施例のピストン動作の指示図である（２）。
【図６】本考案の実施例の建築物に設置した状態の指示図である。
【図７】本考案の実施例の戸棚に設置した状態の指示図である。
【符号の説明】
【００１２】
10    減衰器
11    外筒
12    内筒
13    下部密閉座体
131   経路
132   第一バルブ
133   第二バルブ
134   ポート
135   弾性部品
14    上部密閉モジュール
141   カバー
142   オイルシール
143   上蓋
144   軸孔
15    ピストンロッド
151   ピストンヘッド
152   接続部
153   オリフィス
154   ゴムリング
16    第一内部空間
17    第二内部空間
20    固定プレート
21    コ型凸翼部
22    孔
【図１】
0003139053.tif 000003
【図２】
0003139053.tif 000004
【図３】
0003139053.tif 000005
【図４】
0003139053.tif 000006
【図５】
0003139053.tif 000007
【図６】
0003139053.tif 000008
【図７】
0003139053.tif 000009